(57)【要約】【課題】光軸ズレが発生することを防止する【解決手段】レンズマウント１５には、接眼レンズのボディマウント１７と係合可能な環形状のバヨネットマウント部２３と、バヨネットマウント部２３の外周側に配置される外側ネジマウント部２４と、バヨネットマウント部２３の内周側に配置される内側ネジマウント部２５とが形成され、バヨネットマウント部２３、外側ネジマウント部２４、および内側ネジマウント部２５が、同心円状に形成されている。本発明は、例えば、フィールドスコープに適用できる。【選択図】図２
2010107972.tif 000002
【特許請求の範囲】
【請求項１】
対物側の光学系に、接眼側の光学系を連結させる連結部材において、
前記接眼側の光学系の１つである接眼レンズの係合手段と係合可能な環形状の第１の係合手段と、
前記第１の係合手段の外周側に配置される環形状の第２の係合手段と
を備え、
前記第１の係合手段と前記第２の係合手段とが、同心円状に形成されている
ことを特徴とする連結部材。
【請求項２】
前記第１の係合手段は、バヨネット構造であり、
前記第２の係合手段は、ネジ構造である
ことを特徴とする請求項１に記載の連結部材。
【請求項３】
前記第１の係合手段と同心円状に、前記第１の係合手段の内周側に配置される環形状の第３の係合手段
をさらに備えることを特徴とする請求項１または２に記載の連結部材。
【請求項４】
前記第１の係合手段を形成する壁面と、前記接眼レンズの壁面との隙間を密封する密封手段
をさらに備えることを特徴とする請求項１または２に記載の連結部材。
【請求項５】
前記第１の係合手段を形成し、前記第２の係合手段がその外側に形成された円筒内壁面と、前記接眼レンズの外壁面とで隙間を密閉する密閉手段
をさらに備えることを特徴とする請求項１または２に記載の連結部材。
【請求項６】
対物側の光学系を有する望遠鏡本体に、連結部材を介して接眼側の光学系が連結される望遠鏡において、
請求項１から５のいずれか一項に記載の前記連結部材により前記望遠鏡本体と前記接眼側の光学系が連結される
ことを特徴とする望遠鏡。
【請求項７】
対物側の光学系を有する望遠鏡本体に、連結部材を介して接眼側の光学系が連結される望遠鏡において、
前記連結部材は、前記接眼側の光学系の１つである接眼レンズの係合手段と係合可能な環形状の第１の係合手段と、前記第１の係合手段の外周側に配置される環形状の第２の係合手段と
を備え、
前記第１の係合手段と前記第２の係合手段とが、前記望遠鏡本体の光軸を中心として同心円状に形成されている
ことを特徴とする望遠鏡。
【請求項８】
前記第１の係合手段と同心円状に、前記第１の係合手段の内周側に配置される環形状の第３の係合手段
をさらに備えることを特徴とする請求項７に記載の望遠鏡。
【請求項９】
前記第１の係合手段は、バヨネット構造であり、
前記第３の係合手段は、ネジ構造である
ことを特徴とする請求項８に記載の望遠鏡。
【請求項１０】
前記第３の係合手段には、観察の補助となる指標が表示された光学素子が装着され、
前記光軸を中心として前記指標の向きを調整可能な調整機構
をさらに備えることを特徴とする請求項９に記載の望遠鏡。
【請求項１１】
前記第３の係合手段は、前記接眼側の光学系を連結する側から見て、所定の長さの内壁面を経た奥側に設けられている
ことを特徴とする請求項８乃至１０のいずれかに記載の望遠鏡。
【発明の詳細な説明】
【技術分野】
【０００１】
本発明は、連結部材および望遠鏡に関し、特に、光軸ズレが発生することを防止することができるようにした連結部材および望遠鏡に関する。
【背景技術】
【０００２】
従来、地上望遠鏡や、単眼鏡、双眼鏡などの、観察を主とする光学機器では、それぞれの仕様に合った対物光学系と接眼光学系とが組み合わされて構成される。そして、光学機器の光学性能は、対物光学系と接眼光学系とを組み合わせた際に、最高の性能を発揮することができるように設計されている。
【０００３】
また、それらの光学機器の中には、対物光学系と接眼光学系とを着脱可能に連結するマウントを利用して、それぞれを交換することで、様々な用途に合わせた観察を行うことができるものがある。特に、望遠鏡の分野においては、通常、対物光学系と接眼光学系とが各々複数種類揃えられており、マウントは、メーカや規格などに応じた形状とされている。そして、それぞれ互換性を有するマウントを備えた対物光学系と接眼光学系とが連結可能とされる。
【０００４】
また、近年、望遠鏡にデジタルカメラ（スチルカメラまたはビデオカメラ）を装着して撮像を行うデジタルスコーピングにより、野鳥観察などが行われている。
【０００５】
例えば、非特許文献１には、望遠鏡の光軸とデジタルカメラの光軸とが一致するように、望遠鏡を取り付けるスコープ取付け座と、デジタルカメラを取り付けるカメラ取付け座とが、相対的に、３軸（Ｘ軸、Ｙ軸、およびＺ軸）方向に調整可能なブラケットが開示されている。
【０００６】
このようなブラケットを利用することで、多種多様な接眼光学系および接眼光学系に対応することができる。しかしながら、このようなブラケットを利用した場合には、ユーザ自身が、望遠鏡の光軸とデジタルカメラの光軸とを一致させる調整を行う必要があるとともに、軽微な衝撃でも光軸ズレが発生する恐れがある。
【０００７】
また、例えば、図１１に示すように、アタッチメントを利用して、望遠鏡にデジタルカメラを取り付ける方法がある。
【０００８】
望遠鏡２０１は、望遠鏡本体２０２および接眼レンズ２０３から構成される。望遠鏡本体２０２が有するレンズマウント２０４と、接眼レンズ２０３が有するボディマウント２０５とには互換性があり、レンズマウント２０４およびボディマウント２０５により、それぞれの光軸が一致するように、望遠鏡本体２０２に接眼レンズ２０３が装着される。レンズマウント２０４およびボディマウント２０５は、いわゆるバヨネット構造のマウントであり、板バネのテンションを利用して、望遠鏡本体２０２と接眼レンズ２０３との間にガタツキが生じないように接眼レンズ２０３が装着される。
【０００９】
デジタルカメラ２０６は、アタッチメント２０７により、デジタルカメラ２０６が有するレンズの光軸が、図１１Ａに示すように、望遠鏡本体２０２および接眼レンズ２０３の光軸と一致するように、接眼レンズ２０３に取り付けられる。
【００１０】
このように、デジタルカメラ２０６およびアタッチメント２０７が接眼レンズ２０３に取り付けられる構成となっている場合、デジタルカメラ２０６およびアタッチメント２０７の重さが、バヨネット構造のマウントのバネ力を超えるものであるとき、図１１Ｂに示すように、接眼レンズ２０３の姿勢を保持することができず、光軸ズレが発生する。
【先行技術文献】
【特許文献】
【００１１】
【非特許文献１】「ニコン双眼鏡総合カタログ  ２００８．４．１５、株式会社ニコンビジョン、２００８年、ｐ．２２」
【発明の概要】
【発明が解決しようとする課題】
【００１２】
上述したように、従来の望遠鏡では、デジタルカメラなどを装着したときに、光軸ズレが発生することがあった。このように、光軸ズレが発生した場合には、デジタルカメラは、望遠鏡により結像される中間像の一部が欠けた画像を撮像することになり、良好な観察を行うことが困難となる。
【００１３】
本発明は、このような状況に鑑みてなされたものであり、光軸ズレが発生することを防止することができるようにするものである。
【課題を解決するための手段】
【００１４】
本発明の連結部材は、対物側の光学系に、接眼側の光学系を連結させる連結部材であって、前記接眼側の光学系の１つである接眼レンズの係合手段と係合可能な環形状の第１の係合手段と、前記第１の係合手段の外周側に配置される環形状の第２の係合手段とを備え、前記第１の係合手段と前記第２の係合手段とが、同心円状に形成されていることを特徴とする。
【００１５】
本発明の望遠鏡は、対物側の光学系を有する望遠鏡本体に、連結部材を介して接眼側の光学系が連結される望遠鏡であって、前記連結部材は、前記接眼側の光学系の１つである接眼レンズの係合手段と係合可能な環形状の第１の係合手段と、前記第１の係合手段の外周側に配置される環形状の第２の係合手段とを備え、前記第１の係合手段と前記第２の係合手段とが、前記望遠鏡本体の光軸を中心として同心円状に形成されていることを特徴とする。
【００１６】
本発明の連結部材および望遠鏡においては、接眼側の光学系の１つである接眼レンズの係合手段と係合可能な環形状の第１の係合手段と、第１の係合手段の外周側に配置される環形状の第２の係合手段とが、望遠鏡本体の光軸を中心として同心円状に形成されている。
【００１７】
本発明の連結部材および望遠鏡においては、前記第１の係合手段を形成し、前記第２の係合手段がその外側に形成された円筒内壁面と、前記接眼レンズの外壁面とで隙間を密閉する密閉手段をさらに備える。
【発明の効果】
【００１８】
本発明の連結部材および望遠鏡によれば、光軸ズレが発生することを防止することができる。
【図面の簡単な説明】
【００１９】
【図１】本発明を適用したフィールドスコープの一実施の形態の構成例を示す図である。
【図２】レンズマウント１５およびボディマウント１７の構造を説明する図である。
【図３】テレコンバータレンズ５１が装着されたフィールドスコープ１１を示す図である。
【図４】デジタルカメラ６１が装着されたフィールドスコープ１１を示す図である。
【図５】照準器７１が装着されたフィールドスコープ１１を示す図である。
【図６】本発明を適用したレンズマウントの他の実施の形態を示す図である。
【図７】本発明を適用したレンズマウントのさらに他の実施の形態を示す図である。
【図８】接眼レンズの内側にレチクルが装着されるフィールドスコープの構成例を示す図である。
【図９】レチクルユニットの構成例を示す図である。
【図１０】レチクルユニット、接眼レンズ、およびデジタルカメラが装着されたフィールドスコープを示す図である。
【図１１】従来のデジタルカメラの装着例を示す図である。
【発明を実施するための形態】
【００２０】
以下、本発明を適用した具体的な実施の形態について、図面を参照しながら詳細に説明する。
【００２１】
図１は、本発明を適用したフィールドスコープの一実施の形態の構成例を示す図である。
【００２２】
図１において、フィールドスコープ１１は、望遠鏡本体１２と、望遠鏡本体１２に着脱可能な接眼レンズ１３とを備えて構成される。
【００２３】
図１Ａには、望遠鏡本体１２から接眼レンズ１３が取り外された状態のフィールドスコープ１１が示されており、図１Ｂには、望遠鏡本体１２に接眼レンズ１３が取り付けられた状態のフィールドスコープ１１が示されている。
【００２４】
望遠鏡本体１２は、対物レンズやプリズムなど（いずれも図示せず）からなる対物側の光学系を先端側（図１の左側）に収納した筒状の鏡筒１４、および鏡筒１４の後端部に取り付けられたレンズマウント１５を備えて構成される。
【００２５】
接眼レンズ１３は、複数のレンズを収納した筒状の鏡筒１６、および鏡筒１６の先端側に取り付けられたボディマウント１７を備えて構成される。
【００２６】
望遠鏡本体１２のレンズマウント１５、および接眼レンズ１３のボディマウント１７は、いわゆるバヨネットタイプのマウントであり、レンズマウント１５およびボディマウント１７を利用して、接眼レンズ１３が望遠鏡本体１２に取り付けられる。即ち、レンズマウント１５およびボディマウント１７は、それぞれが有する爪部の噛み合いで結合され、ボディマウント１７が備える板バネの強固なテンションにより、噛み合いで発生する隙間のガタツキが取り除され、かつ、接眼レンズ１３の姿勢を保持する構造となっている。
【００２７】
図２を参照して、レンズマウント１５およびボディマウント１７の構造について説明する。
【００２８】
図２Ａには、望遠鏡本体１２から接眼レンズ１３が取り外された状態でのレンズマウント１５およびボディマウント１７が示されており、図２Ｂには、望遠鏡本体１２に接眼レンズ１３が取り付けられた状態でのレンズマウント１５およびボディマウント１７が示されている。
【００２９】
レンズマウント１５は、望遠鏡本体１２の光軸を中心としたリング状のマウント円筒２１および２２を備えて構成され、マウント円筒２１に形成されている溝にマウント円筒２２が嵌め込まれた構造となっている。
【００３０】
レンズマウント１５には、望遠鏡本体１２の光軸を中心として同心円となるように、バヨネットマウント部２３、外側ネジマウント部２４、および内側ネジマウント部２５の３つのマウント部が形成されている。図２に示すように、外側ネジマウント部２４は、バヨネットマウント部２３よりも外周側に形成されており、内側ネジマウント部２５は、バヨネットマウント部２３よりも内周側に形成されている。
【００３１】
バヨネットマウント部２３は、後端側（図２の右側）に開口するように形成された溝状の環形状のマウントであり、バヨネットマウント部２３には、ボディマウント１７が収納可能とされている。バヨネットマウント部２３の外周側にある内径面２６および外径面２７は、光軸方向に平行となるように形成されており、バヨネットマウント部２３の外径面２７には、周方向に所定の間隔で、外側に向かって凸状の複数の爪部２８が形成されている。
【００３２】
なお、バヨネットマウント部２３において、爪部２８を含む先端側がマウントとしての機能を備え、爪部２８よりも後端側（図２の右側）の内径面２６および外径面２７は、ボディマウント１７がバヨネットマウント部２３に収納される際のガイドとして機能する。
【００３３】
外側ネジマウント部２４は、レンズマウント１５の外径面に形成された雄ネジ形状のマウントである。内側ネジマウント部２５は、レンズマウント１５の内径面２９と並んで形成された雌ネジ形状のマウントであり、バヨネットマウント部２３よりも先端側（図２の左側）に形成されている。
【００３４】
ボディマウント１７は、接眼レンズ１３の光軸を中心としたリング状の環状板４１、および、環状板４１と接眼レンズ１３の鏡筒１６との間に配置される板バネ４２を備えて構成される。
【００３５】
環状板４１には、内側に向かって凸状の複数の爪部４３が形成されており、複数の爪部４３は、バヨネットマウント部２３に形成されている複数の爪部２８どうしの間を通過することができるような間隔で周方向に配置されている。
【００３６】
図２Ｂに示すように、望遠鏡本体１２に接眼レンズ１３が取り付けられた状態において、レンズマウント１５の爪部２８と、ボディマウント１７の爪部４３との間に板バネ４２が挟み込まれ、板バネ４２のテンションにより、環状板４１が先端側に押し付けられる。これにより、レンズマウント１５のマウント円筒２２と、ボディマウント１７の環状板４１とが、隙間が生じることなく密接し、接眼レンズ１３がガタツクことなく望遠鏡本体１２に装着される。
【００３７】
また、レンズマウント１５は、望遠鏡本体１２の光軸を中心として形成されているとともに、ボディマウント１７は、接眼レンズ１３の光軸を中心として形成されており、レンズマウント１５およびボディマウント１７を利用して望遠鏡本体１２に接眼レンズ１３を取り付けることで、望遠鏡本体１２の光軸と接眼レンズ１３の光軸とが一致する。
【００３８】
ここで、接眼レンズ１３の鏡筒１６の外径面４４には、望遠鏡本体１２に接眼レンズ１３が取り付けられた状態においてバヨネットマウント部２３に収納される位置に、Ｏリング４５が装着されている。Ｏリング４５は、鏡筒１６の外径面４４に形成されている溝と、バヨネットマウント部２３の内径面２６とに密着することで、外径面４４と内径面２６との隙間を密封し、これにより、この隙間から水や埃などが内部に侵入することが防止される。
【００３９】
さらに、望遠鏡本体１２の鏡筒１４とレンズマウント１５との間に、Ｏリング３１および３２を挟み込むように、レンズマウント１５が鏡筒１４に取り付けられており、鏡筒１４とレンズマウント１５との隙間も密封される。このように、Ｏリング３１，３２および４５により、フィールドスコープ１１は、防水機能や、防塵機能、防滴機能などを備えることができる。
【００４０】
なお、Ｏリングを設ける位置は、バヨネットマウント部２３と、接眼レンズ１３との間の隙間を密封することができれば、図２に示される位置に限られるものではない。例えば、環状板４１の先端側の面と、その面と対向するバヨネットマウント部２３の壁面との隙間や、接眼レンズ１３の内径面と、バヨネットマウント部２３の外径面２７との隙間を密封するように、Ｏリングを設けてもよい。
【００４１】
また、望遠鏡本体１２に接眼レンズ１３が取り付けられた状態において、バヨネットマウント部２３の内径面２６は、接眼レンズ１３の鏡筒１６の外径面４４の外周に沿って配置されており、接眼レンズ１３の姿勢の保持に有効である。例えば、ボディマウント１７の板バネ４２では保持できないような荷重が接眼レンズ１３にかかった場合でも、内径面２６との外径面４４とが当接することで接眼レンズ１３の姿勢が保持され、望遠鏡本体１２の光軸に対して接眼レンズ１３の光軸が大きくずれることが防止される。
【００４２】
このように、フィールドスコープ１１では、バヨネットマウント部２３を介して接眼レンズ１３が装着される。さらに、フィールドスコープ１１では、バヨネットマウント部２３を介して接眼レンズ１３を装着した状態で、外側ネジマウント部２４を利用して、他の光学機器を装着することができる。例えば、接眼レンズ１３とともに利用されることが想定される機器としては、テレコンバータレンズやデジタルカメラなどがある。
【００４３】
図３には、テレコンバータレンズ５１が装着されたフィールドスコープ１１が示されている。
【００４４】
テレコンバータレンズ５１は、複数のレンズやアイピースなどを備えたレンズ鏡筒５２、および、レンズ鏡筒５２の先端側（図３の左側）に設けられるスリーブ５３を備えて構成されている。
【００４５】
スリーブ５３は、接眼レンズ１３を収容することができる筒状の部材であり、その内径面の先端側には、レンズマウント１５の外側ネジマウント部２４と螺合可能なネジ部５４が形成されている。
【００４６】
ネジ部５４は、テレコンバータレンズ５１の光軸を中心として環形状に形成されている。上述したように、外側ネジマウント部２４は、望遠鏡本体１２の光軸を中心として形成されており、外側ネジマウント部２４およびネジ部５４を利用して、望遠鏡本体１２にテレコンバータレンズ５１を装着することで、望遠鏡本体１２の光軸とテレコンバータレンズ５１の光軸とが一致する。
【００４７】
図４には、デジタルカメラ６１が装着されたフィールドスコープ１１が示されている。
【００４８】
デジタルカメラ６１は、スリーブ６２およびブラケット６３を介して望遠鏡本体１２に装着される。
【００４９】
スリーブ６２には、図３のスリーブ５３と同様に、レンズマウント１５の外側ネジマウント部２４と螺合可能なネジ部６４が内径面の先端側に、外側ネジマウント部２４の外環径と同じ内径寸法を有して形成されている。また、スリーブ６２の外径面の後端側には、溝６５が周方向に形成されている。
【００５０】
ブラケット６３は、その先端側がスリーブ６２の溝６５を覆うように、スリーブ６２の後端部に嵌め合わされ、係止ネジ６６の先端を溝６５に当接させることで、スリーブ６２に固定される。また、ブラケット６３の後端側は、デジタルカメラ６１のレンズ部分の周囲に取り付け可能とされており、スリーブ６２およびスリーブ６２により、デジタルカメラ６１のレンズの光軸が、望遠鏡本体１２の光軸と一致するように、デジタルカメラ６１が望遠鏡本体１２に装着される。
【００５１】
また、ブラケット６３には、デジタルカメラ６１のシャッタの位置に対応してレリーズ６７が固定されており、レリーズ６７を利用することで、ユーザは、フィールドスコープ１１に振動を与えることなく、デジタルカメラ６１による撮像を行うことができる。
【００５２】
図３および図４に示すように、フィールドスコープ１１では、望遠鏡本体１２に接眼レンズ１３を装着した状態で、外側ネジマウント部２４を利用して、光軸ズレが発生しないように、テレコンバータレンズ５１およびデジタルカメラ６１をそれぞれ装着することができる。
【００５３】
即ち、図１１を参照して上述したように、従来の望遠鏡では、バヨネットマウントにより望遠鏡本体に装着される接眼レンズを介してデジタルカメラが取り付けられていたので、その重さによって光軸ズレが発生していた。
【００５４】
これに対し、フィールドスコープ１１では、テレコンバータレンズ５１またはデジタルカメラ６１は、バヨネットマウント部２３により望遠鏡本体１２に装着される接眼レンズ１３を介して望遠鏡本体１２に装着されるのではなく、望遠鏡本体１２に固定されているレンズマウント１５の外側ネジマウント部２４に対して装着されるので、テレコンバータレンズ５１またはデジタルカメラ６１の重量が大きくても光軸ズレが発生することは回避される。
【００５５】
なお、例えば、従来の望遠鏡でも、バヨネットマウントのバネ力を強固にすることで光軸ズレが発生することを防止することができると考えられるが、バヨネットマウントは、接眼レンズの取り付け、取り外しが容易にできるようなバネ力で設計されており、バヨネットマウントのバネ力を強固にすることで、接眼レンズの着脱が難しくなり、ユーザの負担が大きくなる。その点、フィールドスコープ１１では、ボディマウント１７の板バネ４２のバネ力は、ユーザが接眼レンズ１３の着脱を容易にできるようなバネ力となるように設計することができ、ユーザの負担が大きくなることはない。
【００５６】
また、例えば、望遠鏡とデジタルカメラとの光軸関係を、３軸方向に調整可能なブラケットを利用する場合には、光軸調整を行う必要があるとともに、軽微な衝撃でも光軸ズレが発生する恐れがあるが、フィールドスコープ１１では、光軸調整を行う手間が不要であるとともに、テレコンバータレンズ５１またはデジタルカメラ６１は、外側ネジマウント部２４を利用して装着されるので、軽微な衝撃で光軸がずれることもない。
【００５７】
このように、フィールドスコープ１１では、光軸ズレが発生することを防止することができるので、例えば、デジタルカメラ６１は、フィールドスコープ１１により結像される中間像を確実に撮像することができ、良好な観察を行うことができる。
【００５８】
このように、フィールドスコープ１１は、接眼レンズ１３とテレコンバータレンズ５１、または、接眼レンズ１３とデジタルカメラ６１を同時に装着すること、つまり、複数の光学機器を同時に装着することができる他、バヨネットマウント部２３および外側ネジマウント部２４のそれぞれと互換性を有するマウントを備えた光学機器を、別々に装着することができる。つまり、望遠鏡本体１２には、バヨネットマウント部２３または外側ネジマウント部２４のいずれかと互換性を有するマウントを備えた光学機器であれば、装着可能である。
【００５９】
このように、フィールドスコープ１１では、光軸を中心として同心円となるように、バヨネットマウント部２３、外側ネジマウント部２４、および内側ネジマウント部２５の３つのマウント部が形成されているので、内側ネジマウント部２５に光学素子（例えば、後述の図８のレチクル）を装着させるとともに、バヨネットマウント部２３に接眼レンズ１３を装着させ、さらに、外側ネジマウント部２４にテレコンバータレンズ５１またはデジタルカメラ６１を装着させることができる。
【００６０】
また、フィールドスコープ１１には、レンズマウント１５の外側ネジマウント部２４を利用して、テレコンバータレンズ５１およびデジタルカメラ６１のように、望遠鏡本体１２の光軸と一致するような光学機器を取り付ける他、望遠鏡本体１２の光軸と並行となるような光学機器を取り付けることができる。
【００６１】
例えば、図５には、照準器７１が装着されたフィールドスコープ１１が示されている。
【００６２】
照準器７１は、複数のレンズを備えたレンズ鏡筒７２、およびネジマウント７３を備えて構成されている。
【００６３】
ネジマウント７３には、レンズマウント１５の外側ネジマウント部２４と螺合可能なネジ部７４が形成されており、ネジマウント７３は、ネジ部７４の中心軸と、レンズ鏡筒７２の光軸とが平行となるように形成されている。
【００６４】
このように、フィールドスコープ１１では、接眼レンズ１３を装着した状態で、外側ネジマウント部２４を利用して、照準器７１を装着することができる。また、ネジ部７４の中心軸と、レンズ鏡筒７２の光軸とが平行となるようにネジマウント７３が形成されているとともに、上述したように、外側ネジマウント部２４は、望遠鏡本体１２の光軸を中心として形成されているので、ユーザがネジマウント７３をねじ込むだけで光軸が一致し、照準器７１の光軸調整を行う手間が不要になる。
【００６５】
次に、図６は、本発明を適用したレンズマウントの他の実施の形態を示す図である。
【００６６】
図６のフィールドスコープ１１において、望遠鏡本体１２の鏡筒１４は、図１と同様に構成されており、図１のレンズマウント１５に替えて、鏡筒１４の後端部にレンズマウント８１が取り付けられている。
【００６７】
レンズマウント８１は、望遠鏡本体１２の光軸を中心としたリング状のマウント円筒８２乃至８４を備えて構成され、マウント円筒８２に形成されている溝にマウント円筒８３が嵌め込まれ、マウント円筒８２の外周側にマウント円筒８４が配置された構造となっている。
【００６８】
レンズマウント８１では、望遠鏡本体１２の光軸を中心として同心円となるように、内側から順に、ネジマウント部８５、バヨネットマウント部８６、および、ネジマウント部８７乃至８９の５つのマウント部が形成されている。
【００６９】
ネジマウント部８５は、レンズマウント８１の内径面９０の後端側に形成された雌ネジ形状のマウントである。また、内径面９０には、内側ネジマウント部８５よりも後端側に、後端に向かうに従い所定の傾斜で広がる傾斜面９１が形成されている。
【００７０】
バヨネットマウント部８６は、図２のバヨネットマウント部２３と同様に構成されており、バヨネットマウント部８６の外径面９２に爪部９３が形成されている。
【００７１】
ネジマウント部８７は、バヨネットマウント部８６の内径面９４の後端側において内径が一段大きくなるように形成された箇所に形成された雌ネジ形状のマウントである。ネジマウント部８８は、バヨネットマウント部８６の内径面９４およびネジマウント部８７を形成するマウント円筒８２の壁部の外径面に形成された雄ネジ形状のマウントである。ネジマウント部８９は、マウント円筒８４の外径面に形成された雄ネジ形状のマウントである。
【００７２】
また、図６のフィールドスコープ１１では、接眼レンズ１０１は、バヨネットマウント部８６よりも内側にあるネジマウント部８５により装着されている。接眼レンズ１０１には、鏡筒１０２の先端側の外径面に、ネジマウント部８５と係合可能なネジ部１０３が形成されており、接眼レンズ１０１は、ネジマウント部８５とネジ部１０３との係合により望遠鏡本体１２に装着される。
【００７３】
また、接眼レンズ１０１には、ネジ部１０３の後端側に、Ｏリング１０４が装着されており、接眼レンズ１０１がネジマウント部８５に装着された状態で、Ｏリング１０４が傾斜面９１に密着し、接眼レンズ１０１とネジマウント部８５との隙間から水や埃などが内部に侵入することが防止される。
【００７４】
このように、レンズマウント８１には、ネジマウント部８５、バヨネットマウント部８６、および、ネジマウント部８７乃至８９の５つのマウント部が形成されており、いずれかのマウント部を利用して、複数種類のマウントに対応可能であり、複数の光学機器を同時に装着することができる。
【００７５】
例えば、接眼レンズ１０１がネジマウント部８５に装着された状態で、ネジマウント部８８を利用して、図３のテレコンバータレンズ５１や図４のデジタルカメラ６１を装着することができる。
【００７６】
また、例えば、バヨネットマウント部８６と互換性のないマウントを、変換アダプタなどを介してバヨネットマウント部８６に装着することができるが、ネジマウント部８５、および８７乃至８９を利用することで、バヨネットマウント部８６と互換性のないマウントを、直接的に装着することができる。
【００７７】
次に、図７は、本発明を適用したレンズマウントのさらに他の実施の形態を示す図である。
【００７８】
図７のフィールドスコープ１１において、望遠鏡本体１２の鏡筒１４は、図１と同様に構成されており、図１のレンズマウント１５に替えて、鏡筒１４の後端部にレンズマウント１１１が取り付けられている。
【００７９】
レンズマウント１１１は、望遠鏡本体１２の光軸を中心としたリング状のマウント円筒１１２および１１３を備えて構成され、マウント円筒１１２に形成されている溝にマウント円筒１１３が嵌め込まれた構造となっている。
【００８０】
レンズマウント１１１では、望遠鏡本体１２の光軸を中心として同心円となるように、外側から順に、ネジマウント部１１４、ネジマウント部１１５、およびバヨネットマウント部１１６が形成されており、図２のレンズマウント１５の外側ネジマウント部２４と同様にネジマウント部１１４が形成され、レンズマウント１５においてバヨネットマウント部２３が形成されていた位置にネジマウント部１１５が形成され、ネジマウント部１１５よりも内側にバヨネットマウント部１１６が形成されている。
【００８１】
また、図７のフィールドスコープ１１では、接眼レンズ１２１は、バヨネットマウント部１１６により装着されている。即ち、接眼レンズ１２１の先端部には、バヨネットマウント部１１６と互換性を有するボディマウント１２２が形成されており、接眼レンズ１２１は、ボディマウント１２２とバヨネットマウント部１１６とが係合することにより装着される。
【００８２】
そして、フィールドスコープ１１では、接眼レンズ１２１を装着した状態で、ネジマウント部１１４を利用して、図３のテレコンバータレンズ５１や図４のデジタルカメラ６１を装着することができるとともに、ネジマウント部１１５を利用して、他の光学機器を装着することができる。
【００８３】
このように、バヨネットマウント部１１６が最も内側に形成されているフィールドスコープ１１でも、ネジマウント部１１４および１１５を利用して光学機器を装着することで、光軸ズレが発生することなく、複数の光学機器を装着することができる。
【００８４】
次に、図８は、接眼レンズの内側にレチクルが装着されるフィールドスコープの構成例を示す図である。
【００８５】
図８Ａには、望遠鏡本体１２から接眼レンズ１５１およびレチクルユニット１６１が取り外された状態のフィールドスコープ１１が示されており、図８Ｂには、望遠鏡本体１２に接眼レンズ１５１およびレチクルユニット１６１が取り付けられた状態のフィールドスコープ１１が示されている。
【００８６】
望遠鏡本体１２は、図１の望遠鏡本体１２と同様に構成されており、複数のレンズを有する鏡筒１４の後端部に、図１と同様の構成のレンズマウント１５が取り付けられて構成されており、レンズマウント１５の内側ネジマウント部２５にレチクルユニット１６１が装着される。
【００８７】
接眼レンズ１５１は、複数のレンズを有する鏡筒１６の先端側に、図１と同様の構成のボディマウント１７が取り付けられて構成されており、接眼レンズ１５１には、レチクルユニット１６１の一部を収容可能な内部空間が設けられている。
【００８８】
また、望遠鏡本体１２では、鏡筒１４が有するレンズからなる光学系は、望遠鏡本体１２の後端面よりも後側（即ち、望遠鏡本体１２の外側）となる位置Ｐ１に中間像を結像するように構成されている。一方、接眼レンズ１５１では、鏡筒１６が有するレンズからなる光学系は、それらのレンズよりも先端側となる鏡筒１６の内部空間の位置Ｐ２に合焦するように構成されている。
【００８９】
そして、フィールドスコープ１１は、接眼レンズ１５１と望遠鏡本体１２とを互いに接合したときに、望遠鏡本体１２の光学系が中間像を結像する位置Ｐ１と、接眼レンズ１５１の光学系が合焦する位置Ｐ２とが一致するように構成されている。即ち、接眼レンズ１５１と望遠鏡本体１２とを互いに接合させて位置Ｐ１と位置Ｐ２とを一致させることで、位置Ｐ１に結像する中間像が接眼レンズ１５１を介して観察可能となるように、つまり、フィールドスコープ１１の観察光学系が完成するように構成されている。
【００９０】
レチクルユニット１６１は、レチクル１６２およびレチクル鏡筒１６３を備え、レチクルユニット１６１をレンズマウント１５に装着したときに、レチクル１６２が位置Ｐ１に配置されるように構成されている。
【００９１】
レチクル１６２は、例えば、ガラスなどの透明な板状の部材に、観察目標物を視野の中心に配置させる際の補助となるような十字型の指標が表示されて構成されている。
【００９２】
レチクル鏡筒１６３は、レチクル１６２を保持する筒状の部材であり、その外周面には、内側ネジマウント部２５と螺合可能なネジ部１６４が先端側に形成されているとともに、ネジ部１６４よりも後側に外径面１６６が設けられている。また、レチクル鏡筒１６３は、レチクルユニット１６１をレンズマウント１５に装着したときに、レンズマウント１５の内径面２９との隙間が、所定値（例えば、数μｍ）となるように、外径面１６６の寸法が高精度に規定されている。
【００９３】
また、レチクル鏡筒１６３の先端側を向く先端面１６５は、レンズマウント１５の内側ネジマウント部２５より先端側において後側を向く当接面２５Ａに当接することで、望遠鏡本体１２にレチクルユニット１６１を取り付ける際のレチクルユニット１６１の位置、即ち、レチクル１６２の位置を規定する。ここで、レチクルユニット１６１は、先端面１６５からレチクル１６２までの距離が、レンズマウント１５の当接面２５Ａから位置Ｐ１までの距離に一致するように構成されており、先端面１６５が当接面２５Ａに当接したとき、レチクル１６２が位置Ｐ１に配置される。即ち、レチクル１６２は、望遠鏡本体１２では、鏡筒１４が有するレンズからなる光学系により中間像が結像される位置Ｐ１に一致するように配置される。
【００９４】
そして、図８Ｂに示すように、レンズマウント１５の内側ネジマウント部２５を利用して、レチクルユニット１６１が望遠鏡本体１２に装着され、レンズマウント１５のバヨネットマウント部２３を利用して、接眼レンズ１５１が望遠鏡本体１２に装着される。即ち、レンズマウント１５の内側ネジマウント部２５およびバヨネットマウント部２３により、レチクルユニット１６１および接眼レンズ１５１が同時に望遠鏡本体１２に装着されることで、レチクル１６２を有したフィールドスコープ１１が構成される。
【００９５】
ここで、接眼レンズ１５１およびレチクルユニット１６１を連結する側（図８の右側）から見て、内側ネジマウント部２５が、所定の長さの内径面２９を経た奥側に設けられている。これにより、内側ネジマウント部２５にレチクルユニット１６１を装着したとき、外径面１６６と内径面２９とによりレチクルユニット１６１の姿勢が規制されるので、レチクルユニット１６１が光軸からずれることを防止すること、即ち、レチクルユニット１６１の光軸に対する直行性を保持することができる。
【００９６】
また、内側ネジマウント部２５を奥側に設けることにより、開口が広くなるように設計することができ、ユーザは、明るく見やすい像を観察することができる。
【００９７】
ところで、レンズマウント１５にレチクルユニット１６１を装着させる際、レチクルユニット１６１のネジ部１６４を、レンズマウント１５の内側ネジマウント部２５に螺合させてレチクルユニット１６１を回転させるので、レチクル１６２に表示された十字型の指標が垂直方向および水平方向に一致しないことがある。そこで、レチクルユニット１６１は、レンズマウント１５に対してレチクルユニット１６１を固定させた後、レチクル１６２の十字型の指標が垂直方向および水平方向に一致するように、レチクル１６２の向きを調整することができるように構成されている。
【００９８】
図９を参照して、レチクルユニット１６１の構造について説明する。
【００９９】
図９に示すように、レチクルユニット１６１のレチクル鏡筒１６３は、鏡筒本体１７１、レチクル保持部１７２、およびバネ１７３を備えており、レチクル１６２の方向を調整可能な機構を構成している。
【０１００】
鏡筒本体１７１は、円筒の形状の部材であり、先端側の外周面にネジ部１６４が形成されており、後端側の内周面には、内側に向かって突起し周方向に一周するように形成されたバネ係止部１７１ａが設けられている。
【０１０１】
レチクル保持部１７２は、レチクル１６２が固定された円筒の形状の部材であり、先端側の外周面には、外側に向かって突起し周方向に一周するように形成されたバネ係止部１７２ａが設けられている。
【０１０２】
バネ１７３は、鏡筒本体１７１の内周面とレチクル保持部１７２の外周面との間に配置されるコイル状の弾性体であり、鏡筒本体１７１のバネ係止部１７１ａと、レチクル保持部１７２のバネ係止部１７２ａとにより、レチクルユニット１６１の軸方向に沿って圧縮するように付勢されている。即ち、鏡筒本体１７１のバネ係止部１７１ａと、レチクル保持部１７２のバネ係止部１７２ａとの間でバネ１７３が付勢されていることにより、レチクル保持部１７２が、鏡筒本体１７１に対して所定の力で回転可能となるように保持されている。
【０１０３】
従って、ユーザは、レンズマウント１５にレチクルユニット１６１を装着させた後、即ち、内側ネジマウント部２５に対して鏡筒本体１７１が固定された後、鏡筒本体１７１に対してレチクル保持部１７２を回転させることにより、レチクル１６２を任意の方向（例えば、レチクル１６２の十字型が水平方向および垂直方向となる向き）に調整することができる。このように、レチクルユニット１６１は、レチクル１６２の方向を調整することができるように構成されている。
【０１０４】
そして、ユーザは、レチクル１６２の方向を調整した後に、レンズマウント１５のバヨネットマウント部２３に接眼レンズ１５１を装着し、さらに、レンズマウント１５の外側ネジマウント部２４に対して他の装置（周辺機器）を装着させることができる。
【０１０５】
即ち、図１０に示すように、フィールドスコープ１１は、内側から順に、レチクル１６２、接眼レンズ１５１、およびデジタルカメラ６１（図４のデジタルカメラ６１と同様の構成のもの）を同時に装着することができる。このような構成とすることで、デジタルカメラ６１によりレチクル１６２の指標が入った画像を撮像することができる。
【０１０６】
また、図示しないが、デジタルカメラ６１に替えて、フィールドスコープ１１は、レチクル１６２、接眼レンズ１５１、および図３のテレコンバータレンズ５１を同時に装着することや、レチクル１６２、接眼レンズ１５１、および図５の照準器７１を同時に装着することができる。
【０１０７】
以上のように、本発明を適用したフィールドスコープ１１では、望遠鏡本体１２と接眼レンズ１５１との間に、レチクルユニット１６１を利用してレチクル１６２を着脱可能に装着することができる。これにより、例えば、レチクルを使用した観察と、レチクルを使用しない観察とを切り替えて行うことができる。
【０１０８】
例えば、レチクルが組み込まれた接眼レンズと、通常の接眼レンズ（レチクルが組み込まれていない接眼レンズ）とを交換することで、上述のような観察を行うことができるが、一般的に、レチクルが組み込まれている接眼レンズは、レチクルユニット１６１よりも高価であり、このように複数の接眼レンズを用意することは、ユーザにとって負担が高く、非効率であった。
【０１０９】
これに対し、フィールドスコープ１１では、安価なレチクルユニット１６１を着脱するだけでよいので、ユーザにとって負担が低く、効率よく、レチクルを使用した観察とレチクルを使用しない観察とを切り替えて行うことができる。
【０１１０】
また、フィールドスコープ１１は、上述したように、内側ネジマウント部２５が奥側に設けられているので、レチクルユニット１６１の光軸に対する直行性が保持され、レチクル１６２の十字型の指標の交点が光軸に一致し、観察をより良好に行うことができる。
【０１１１】
さらに、図９を参照して説明したような方向調整機能を備えたレチクルユニット１６１を採用することで、部品点数を少なくして簡素に構成することができ、安価に製造することができる。また、レチクルユニット１６１のネジ部１６４を装着させる内側ネジマウント部２５をレンズマウント１５に容易に配置することができる。
【０１１２】
また、ユーザは、使用用途によって、種類の異なるレチクルを用いた観察を容易に行うことができる。例えば、レチクル１６２としては、上述したような十字型のものの他、視野を妨げないドット型や、観察対象の概略的な大きさや距離を測ることができる同心円の目盛型などのものを使用することができる。
【０１１３】
なお、ドット型や同心円の目盛型のレチクルを使用するときには、十字型のように方向調整をするが必要でないので、レチクルの方向を調整する機構を有さないレチクルユニットを使用することができる。また、レチクルユニット側ではなく、レチクルユニットを装着するマウント側に方向を調整する機構を設けてもよく、この場合にも、レチクルの方向を調整する機構を有さないレチクルユニットを使用することができる。さらに、レチクルの自重を利用して調整を行う調整機構や、レチクルの位置検出を利用して調整を行う調整機構などを設けてもよい。
【０１１４】
なお、本発明は、フィールドスコープの他、天体望遠鏡や、単眼鏡、双眼鏡などの、観察を主とする光学機器に適用することができる。
【０１１５】
なお、本発明の実施の形態は、上述した実施の形態に限定されるものではなく、本発明の要旨を逸脱しない範囲において種々の変更が可能である。
【符号の説明】
【０１１６】
１１  フィールドスコープ，  １２  望遠鏡本体，  １３  接眼レンズ，  １４  鏡筒，  １５  レンズマウント，  １６  鏡筒，  １７  ボディマウント，  ２１および２２  マウント円筒，  ２３  バヨネットマウント部，  ２４  外側ネジマウント部，  ２５  内側ネジマウント部，  ２６  内径面，  ２７  外径面，  ２８  爪部，  ２９  内径面，  ３１および３２  Ｏリング，  ４１  環状板，  ４２  板バネ，  ４３  爪部，  ４４  外径面，  ４５  Ｏリング，  ５１  テレコンバータレンズ，  ５２  鏡筒，  ５３  スリーブ，  ５４  ネジ部，  ６１  デジタルカメラ，  ６２  スリーブ，  ６３  ブラケット，  ６４  ネジ部，  ６５  溝，  ６６  係止ネジ，  ６７  レリーズ，  ７１  照準器，  ７２  レンズ鏡筒，  ７３  ネジマウント，  ７４  ネジ部，  ８１  レンズマウント，  ８２乃至８４  マウント円筒，  ８５  ネジマウント部，  ８６  バヨネットマウント部，  ８７乃至８９  ネジマウント部，  ９０  内径面，  ９１  傾斜面，  ９２  外径面，  ９３  爪部，  ９４  内径面，  １０１  接眼レンズ，  １０２  鏡筒，  １０３  ネジ部，  １０４  Ｏリング，  １１１  レンズマウント，  １１２および１１３  マウント円筒，  １１４および１１５  ネジマウント部，  １１６  バヨネットマウント部，  １２１  接眼レンズ，  １２２  ボディマウント，  １５１  接眼レンズ，  １６１  レチクルユニット，  １６２  レチクル，  １６３  レチクル鏡筒，  １６４  ネジ部，  １６５  先端面，  １６６  外径面，  １７１  鏡筒本体，  １７１ａ  バネ係止部，  １７２  レチクル保持部，  １７２ａ  バネ係止部，  １７３  バネ
【図１】
2010107972.tif 000003
【図２】
2010107972.tif 000004
【図３】
2010107972.tif 000005
【図４】
2010107972.tif 000006
【図５】
2010107972.tif 000007
【図６】
2010107972.tif 000008
【図７】
2010107972.tif 000009
【図８】
2010107972.tif 000010
【図９】
2010107972.tif 000011
【図１０】
2010107972.tif 000012
【図１１】
2010107972.tif 000013